【手続補正書】
【提出日】平成20年2月28日(2008.2.28)
【手続補正１】
【補正対象書類名】特許請求の範囲
【補正対象項目名】全文
【補正方法】変更
【補正の内容】
【特許請求の範囲】
【請求項１】
複数の吸引ポートと、吸引ポートへ連通し空気通路を備える少なくとも１個の真空室とを有するカプセル本体であって、前記真空室は前記空気通路を介して前記真空室に真空をかけたときに前記複数の吸引ポートを介して複数の組織部分を捕捉するように構成されたことを特徴とするカプセル本体と、
前記カプセル本体を貫通して長手方向に前進可能であり前記捕捉された組織を固定するため組織固定装置を供給するように構成された少なくとも１本の針と
を備えることを特徴とする内視鏡用組織癒着装置。
【請求項２】
前記カプセル本体は射出成型ポリマーを含むことを特徴とする請求項１に記載の内視鏡用組織癒着装置。
【請求項３】
前記カプセル本体に内蔵されて少なくとも一つの方向に前記本体の長手方向の屈曲を可能にして前記カプセル本体が自然な体腔内を通過できるようにする少なくとも１個のヒンジを更に含むことを特徴とする請求項１に記載の内視鏡用組織癒着装置。
【請求項４】
前記カプセル本体が前記ヒンジを中心として屈曲するのを防止するように動作する選択的に係合可能なロッキング・ロッドを更に含む
ことを特徴とする請求項３に記載の内視鏡用組織癒着装置。
【請求項５】
前記組織固定機構は縫合系タグを含み前記カプセルは前記針から放出されたときに前記カプセルから上向きに離れるように縫合系タグを案内する方向に向けた排出傾斜路を有するように構成される
ことを更に特徴とする請求項１に記載の内視鏡用組織癒着装置。
【請求項６】
前記組織固定装置は更に、
前記針へ順次かつ自動的に装填できるような状態の複数の縫合糸を保持するように構成されたマガジンを含む
ことを特徴とする請求項１に記載の内視鏡用組織癒着装置。
【請求項７】
独立した真空室であって、各々が吸引ポートと専用に連通し独立して作動させて前記吸引ポートへ順次組織を捕捉するように構成されたことを特徴とする独立した真空室を更に含む
ことを特徴とする請求項１に記載の内視鏡用組織癒着装置。
【請求項８】
前記吸引ポートを包囲して前記吸引ポートから突出し組織吸引中に周辺組織と係合して封止を形成する周縁を更に含む
ことを特徴とする請求項１に記載の内視鏡用組織癒着装置。
【請求項９】
前記真空室を画成する表面に形成されて真空下で前記真空室へ捕捉された組織を機械的に保持するのを補助する捕捉凹部を更に含む
ことを特徴とする請求項１に記載の内視鏡用組織癒着装置。
【請求項１０】
少なくとも１個の吸引ポートと、組織を受け入れるため吸引ポートと連通し空気通路を備える少なくとも１個の真空室とを有する縫合系カプセル本体であって、前記真空室は前記空気通路から真空をかけたときに前記真空室内に組織部分を捕捉するように構成されていることを特徴とする縫合系カプセル本体と、
前記カプセル本体を貫通して長手方向に前進可能であり前記捕捉された組織を貫通して縫合材料を担持するように構成された少なくとも１本の針と、
前記捕捉された組織を貫通した後で前記針から前記縫合糸を排出する手段と
前記縫合本体を貫通する前記針の全長ストロークの各々で複数の縫合糸を前記針へ順次かつ自動的に装填できる状態に保持するように構成されたマガジンとを含む
ことを特徴とする内視鏡用組織癒着装置。
【請求項１１】
少なくとも１個の吸引ポートと、複数の表面と空気通路を備えて組織を受け入れるための少なくとも１個の真空室とを有する縫合系カプセル本体であって、前記真空室は前記空気通路を介して真空をかけたときに前記真空室内に組織を捕捉するように構成された縫合系カプセル本体と、
前記カプセル本体を貫通して長手方向に前進可能で前記捕捉された組織を貫通して縫合材料を担持するように構成された針と、
前記針と動作的に連係して前記縫合糸が前記捕捉された組織を貫通した後で前記針から放出する縫合糸排出機構と、
前記カプセル本体に内蔵されて少なくとも一つの方向に前記本体の長手方向の屈曲を可能にして前記カプセル本体が自然な体腔内を通過できるようにするヒンジとを含む
ことを特徴とする内視鏡用組織癒着装置。
【請求項１２】
複数の吸引ポートを有するカプセル本体であって、外吸引ポートの各々が空気通路を備えその各々が組織を受け入れる真空室を有し、各真空室は前記空気通路を介して真空をかけたときに前記真空室内へ組織の一部を捕捉するように構成されたことを特徴とするカプセル本体と、
組織固定装置と、
前記捕捉した組織部分を貫通して前記組織固定装置を配置し前進後に前記固定装置から解放するように構成された組織固定装置前進機構と
を含むことを特徴とする内視鏡用組織癒着装置。
【請求項１３】
組織を受け入れる複数の吸引ポートと、
少なくとも２つの吸引ポートと連通する少なくと１個の真空室と、
組織固定装置と、
前記捕捉した組織部分を貫通して前記組織固定装置を配置し前進後に前記固定装置から解放するように構成された組織固定装置前進機構と
を含むことを特徴とする内視鏡用組織癒着装置。
【請求項１４】
組織捕捉機構と、
捕捉した組織を固定する組織固定装置と、
組織研削手段と
を含むことを特徴とする内視鏡用組織癒着装置。
【請求項１５】
前記組織研削機構は電気的に作動される素子を含むことを特徴とする請求項１４に記載の内視鏡用組織癒着装置。
【請求項１６】
前記組織研削機構は高周波エネルギーの送信器を更に含むことを特徴とする請求項１４に記載の内視鏡用組織癒着装置。
【請求項１７】
前記組織研削機構は組織研削用のレーザー・エネルギーの送信器を更に含むことを特徴とする請求項１４に記載の内視鏡用組織癒着装置。
【請求項１８】
前記組織研削機構は組織を研削する超音波エネルギーの送信器を更に含むことを特徴とする請求項１４に記載の内視鏡用組織癒着装置。
【請求項１９】
前記組織研削機構は化学的研削物質を放出する手段を含むことを特徴とする請求項１４に記載の内視鏡用組織癒着装置。
【請求項２０】
前記組織研削機構は組織研削を惹起する医用物質を放出する手段を含むことを特徴とする請求項１４に記載の内視鏡用組織癒着装置。
【請求項２１】
前記組織研削機構は組織と摩擦接触することにより機械的に組織を研削することを特徴とする請求項１４に記載の内視鏡用組織癒着装置。
【請求項２２】
前記研削機構を介して生体親和性の機械的研削物質を前記組織へ供給することにより機械的研削が実現されることを特徴とする請求項２１に記載の内視鏡用組織癒着装置。
【請求項２３】
前記組織研削機構は更に組織と摩擦係合するようの構成された機械的素子を含むことを特徴とする請求項２１に記載の内視鏡用組織癒着装置。
【請求項２４】
前記捕捉機構は２つ折りの組織を受け入れるように構成された少なくとも１個の真空室を含むことを特徴とする請求項１４に記載の内視鏡用組織癒着装置。
【請求項２５】
前記組織固定装置はステープルを含むことを特徴とする請求項１４に記載の内視鏡用組織癒着装置。
【請求項２６】
前記組織固定装置は縫合糸を含むことを特徴とする請求項１４に記載の内視鏡用組織癒着装置。
【請求項２７】
複数の吸引ポートと、組織を受け入れる開口部と前記吸引ポートと連通し真空源と連通する少なくとも１個の真空室とを有する縫合系カプセル本体であって、各真空室は前記吸引ポートを介して真空をかけたときに前記真空室内に２層の組織を保持するように構成してあることを特徴とする縫合系カプセル本体と、
前記カプセル本体を通って長手方向に摺動可能で前記捕捉した組織を貫通して縫合材料を運ぶように構成された針と、
前記捕捉された組織を貫通した後で前記針から前記縫合糸を排出するための手段と、
前記縫合系カプセル本体上で少なくとも吸引ポートの前記開口部の近傍の少なくとも一つの組織研削機構と、
を含むことを特徴とする内視鏡縫合装置。
【請求項２８】
前記研削機構は前記カプセル本体上の相互に近傍の吸引ポート間の中央に配置されることを特徴とする請求項２７に記載の内視鏡縫合装置。
【請求項２９】
前記組織研削機構は電気的に作動される素子を含むことを特徴とする請求項２７に記載の内視鏡縫合装置。
【請求項３０】
前記組織研削機構は高周波エネルギーの送信器を含むことを特徴とする請求項２７に記載の内視鏡縫合装置。
【請求項３１】
前記組織研削機構は組織研削用レーザー・エネルギーの送信器を含むことを特徴とする請求項２７に記載の内視鏡縫合装置。
【請求項３２】
前記組織研削機構は組織研削用超音波エネルギーの送信器を含むことを特徴とする請求項２７に記載の内視鏡縫合装置。
【請求項３３】
前記組織研削機構は化学的研削物質を放出するための手段を含むことを特徴とする請求項２７に記載の内視鏡縫合装置。
【請求項３４】
前記組織研削機構は組織研削を惹起する医用物質を放出するための手段を含むことを特徴とする請求項２７に記載の内視鏡縫合装置。
【請求項３５】
前記組織研削機構は組織との摩擦的接触を起すことにより機械的に組織を研削することを特徴とする請求項２７に記載の内視鏡縫合装置。
【請求項３６】
前記研削機構を介して前記組織へ生体親和性のある機械的研削物質を供給することにより機械的研削を実現することを特徴とする請求項３５に記載の内視鏡用組織癒着装置。
【請求項３７】
前記組織研削機構は組織と摩擦係合するように構成された機械的素子を更に含むことを特徴とする請求項３５に記載の内視鏡用組織癒着装置。
【請求項３８】
複数の吸引ポートと、吸引ポートと連通し空気通路を備える少なくとも１個の真空室とを有するカプセル本体であって、前記真空室は前記真空室へ真空をかけたときに前記複数の吸引ポートを介して複数の組織部分を捕捉するように構成されたことを特徴とするカプセル本体と、
前記カプセル本体を貫通して長手方向に前進可能で前記組織の貫通側へ前記捕捉した組織を貫通して縫合糸を供給するように構成された少なくとも１本の針と、
前記針を前記捕捉した組織から抜去した後で前記組織の貫通側に前記縫合糸の一端を保持するための手段と、
を含むことを特徴とする内視鏡用組織癒着装置。
【請求項３９】
前記吸引ポートは長手方向に直線状に配置され前記針が両方の吸引ポートを横断する経路に沿って前進して捕捉された組織部分に刺入することを特徴とする請求項１に記載の内視鏡用組織癒着装置。
【請求項４０】
２個の吸引ポートが並んで配置され前記針は分岐しており前記針の各分岐が捕捉した組織部分に刺入するために長手方向へ前進する間に吸引ポートを横断するように前記カプセルに配置されることを特徴とする請求項１に記載の内視鏡用組織癒着装置。
【請求項４１】
前記組織固定装置は前記分岐の先端で解放可能なように担持されていて前記針による組織刺入後に前記針から放出されるように構成された縫合系タグに結合された縫合糸を含むことを特徴とする請求項４０に記載の内視鏡用組織癒着装置。
【請求項４２】
前記縫合系タグは針の前進中に前記組織を穿孔するために用いる鋭利な先端を有することを特徴とする請求項４１に記載の内視鏡用組織癒着装置。
【請求項４３】
前記組織固定装置は前記カプセルへ解放可能なように固定でき、針の先端で組織を貫通して前進しつつある縫合系タグを受け入れて捕捉するための少なくとも１個のタグ・レセプタクルを有するロック・ブロックを含むタグ・ロックを更に含むことを特徴とする請求項４１に記載の内視鏡用組織癒着装置。
【請求項４４】
前記針の一方の分岐と整列したタグ・ロックのロック・ブロックが縫合糸によって前記針の対向する分岐により担持されたタグと結合されることを特徴とする請求項４３に記載の内視鏡用組織癒着装置。
【請求項４５】
前記ロック・ブロックは縫合材料が摺動できるような寸法の通路を更に含むことを特徴とする請求項４３に記載の内視鏡用組織癒着装置。
【請求項４６】
２個の吸引ポートが並んで配置され複数の独立して前進可能な針が提供され各々の針が前進して１個の専用吸引ポートを横断して捕捉された組織部分に刺入するように構成されることを特徴とする請求項１に記載の内視鏡用組織癒着装置。
【請求項４７】
前記カプセルは前記針を前記カプセルの長軸に沿った経路から前記長軸と離れているが前記任意の針が割り当てられている前記吸引ポートに向かう経路へと離開させるダイバータを備えた針経路を提供するように構成されることを特徴とする請求項４６に記載の内視鏡用組織癒着装置。
【請求項４８】
各吸引ポートは専用の真空室と連通することを特徴とする請求項４６に記載の内視鏡用組織癒着装置。
【請求項４９】
４個の吸引ポートを提供し前記カプセルの上部と底部に２個づつ２組が配置される請求項４７に記載の内視鏡用組織癒着装置。
【請求項５０】
前記組織固定装置は前記針の先端に解放可能なように担持されて、前記針による組織刺入後前記針から放出されるように構成された縫合系タグに接合される縫合糸を含むことを特徴とする請求項４６に記載の内視鏡用組織癒着装置。
【請求項５１】
前記縫合系タグは針の前進中に前記組織を穿孔するために用いる鋭利な先端を有することを特徴とする請求項４６に記載の内視鏡用組織癒着装置。
【請求項５２】
前記組織固定装置は前記カプセルへ解放可能なように固定でき、針の先端で組織を貫通して前進しつつある縫合系タグを受け入れて捕捉するための少なくとも１個のタグ・レセプタクルを有するロック・ブロックを含むタグ・ロックを更に含むことを特徴とする請求項４６に記載の内視鏡用組織癒着装置。
【請求項５３】
前記針の一方の分岐と整列したタグ・ロックのロック・ブロックが他の吸引ポートへ割り当てられている前記針によって担持されたタグに結合される請求項５２に記載の内視鏡用組織癒着装置。
【請求項５４】
前記ロック・ブロックは縫合材料が摺動できるような寸法の通路を更に含むことを特徴とする請求項５２に記載の内視鏡用組織癒着装置。
【請求項５５】
２個の吸引ポートが互いに角度的に、かつ、長手方向にオフセットするようにカプセル上に配置され独立して前進可能な複数の針が提供され各々の針が前進して１個の専用吸引ポートを横断して捕捉された組織部分に刺入するように構成されることを特徴とする請求項１に記載の内視鏡用組織癒着装置。
【請求項５６】
複数の吸引ポートと、吸引ポートと連通する少なくとも一つの真空室とを有するカプセル本体であって、前記真空室は空気通路を備え、前記真空室は前記空気通路を介して前記真空室に真空をかけたときに前記複数の吸引ポートを通して複数の組織部分を捕捉するように構成されたことを特徴とするカプセル本体と、
前記カプセル本体を貫通して長手方向に前進可能で前進中に組織に刺入するように構成され前記カプセルから放出されて前進完了後には前記複数の組織部分を互いに保持するように構成された少なくとも１個の組織インプラントと、
を含むことを特徴とする内視鏡用組織癒着装置。
【請求項５７】
前記インプラントがヘリカルコイルを含む請求項５６に記載の内視鏡用組織癒着装置。
【請求項５８】
前記コイルが増量材でコーティングされていることを特徴とする請求項５７に記載の内視鏡用組織癒着装置。